(57)【要約】      （修正有）【課題】顕微鏡標本の取り違えを防止し検査の信頼性を高めるためのパラフィンブロック作成具を提供する。【解決手段】カセット本体と蓋体とからなる医療検査用カセットと、パラフィン収容部２とその周縁に設けられたカセット本体載置部３とからなるトレイ１と、前記パラフィンの液化温度で溶融せず且つ薄切可能な柱状体５と、前記柱状体５を前記トレイ１のパラフィン収容部２内に立設する手段とを含むことを特徴とするパラフィンブロック作成具である。【選択図】図１
2015129739.tif 000002
【特許請求の範囲】
【請求項１】
カセット本体と蓋体とからなる医療検査用カセットと、
パラフィン収容部とその周縁に設けられたカセット本体載置部とからなり、検体をパラフィンで包埋したパラフィンブロックを作成するためのトレイと、
前記パラフィンの液化温度で溶融せず且つ薄切可能な柱状体と、
前記柱状体を前記トレイのパラフィン収容部内に立設する手段とを含むことを特徴とするパラフィンブロック作成具。
【請求項２】
柱状体をパラフィン収容部内に立設する手段がパラフィン収容部に設けられた支持部であることを特徴とする請求項１記載のパラフィンブロック作成具。
【請求項３】
柱状体をパラフィン収容部内に立設する手段がカセット本体の底部裏面に設けられた支持部であることを特徴とする請求項１記載のパラフィンブロック作成具。
【請求項４】
柱状体がクレヨン、クレパス、着色されたパラフィン、ゴム、エラストマー、軟質樹脂、コンニャクから選ばれることを特徴とする請求項１〜３のいずれか１項に記載のパラフィンブロック作成具。
【請求項５】
柱状体が着色されたパラフィンからなり、その融点がパラフィンブロック本体のパラフィンの融点よりも高いことを特徴とする請求項４に記載のパラフィンブロック作成具。
【請求項６】
柱状体が識別可能な断面形状を有することを特徴とする請求項１〜５のいずれか１項に記載のパラフィンブロック作成具。
【請求項７】
識別可能な断面形状が、文字、数字、記号、模様から選ばれることを特徴とする請求項６記載のパラフィンブロック作成具。
【請求項８】
トレイの上縁部が斜め又は垂直方向に立設されていることを特徴とする請求項１〜７のいずれか１項に記載のパラフィンブロック作成具。
【発明の詳細な説明】
【技術分野】
【０００１】
本発明は、パラフィンブロック作成具に関し、更に詳しくは、顕微鏡標本の取り違えを防止して検査の信頼性を高めるための顕微鏡標本を提供するためのパラフィンブロック作成具に関する。
【背景技術】
【０００２】
従来のこの種の顕微鏡標本の作成に用いられる医療検査用カセット（以下、単にカセットと称することがある）１１は、図１３および図１４に示すように、耐薬品性合成樹脂からなるカセット本体１２と蓋体１３とを具備してなる。カセット本体１２は、上面を開放した方形の容器で、底面部に多数の透孔１４を有し、短辺側の一側壁の外側に底面部に向かって末広がり状に傾斜した板状の記録部１２ａを設けている。蓋体１３は、着脱可能な板状体で、板面に多数の透孔１４を有している。１５は蓋体１３とカセット本体１２との係止部である。
【０００３】
上記カセット１１を使用して顕微鏡標本を作製するには、まず、図１４に示すように、採取した検体Ｓをカセット本体１２内に収容して蓋体１３を取り付け、記録部１２ａに被検者を特定するための氏名や記号等を記録しておく。
【０００４】
続いて、蓋体１３の透孔１４を通じて、検体Ｓを水洗し、アルコールにより検体Ｓの水分を除去し、キシレンにより検体Ｓの脂肪分を除去するとともに後述する液状パラフィンとの親和性を付与する。
【０００５】
次に、図１５に示すようなステンレス製のトレイＴ内に液状パラフィンＰを入れ、検体Ｓをカセット本体１２から取り出して前記トレイＴの中に移し替え、トレイＴの中で検体Ｓに液状パラフィンを浸透させ検体Ｓを仮固定する。続いて、図１６に示すように、トレイＴのカセット載置部Ｔ２にカセット本体１２を載せ、更に、カセット本体１２が液状パラフィンＰに浸るまで、更に液状パラフィンＰを検体Ｓ上に注ぎ足す。
【０００６】
次いで、図１７に示すように、液状パラフィンＰが固化した後トレイＴを取り去ることにより、検体Ｓを包埋したパラフィンＰがカセット本体１２の底面部に付着してなるパラフィンブロックＢを得る。
【０００７】
次に、図示しないが、ミクロトーム上にパラフィンブロックＢを裏返して載せて、ミクロトームに設置されたアダプターをパラフィンブロックＢに係合することにより、パラフィンブロックＢをミクロトームに固定する。続いて、パラフィンＰの検体Ｓを包埋した部分をスライスし、得られた薄片に染色、その他の所定の処理を施すことにより、図１８に示すような顕微鏡標本Ｈを得る。
【０００８】
ところで、上記のように、カセット本体１２の記録部１２ａには、被検者の氏名や記号等を記録されているが、得られた標本Ｈはカセット本体１２とは完全に分離されるため、しばしば、被検者を取り違えるといった深刻なトラブルが発生する。
【０００９】
このようなトラブルを解消するために、カセットの蓋の表面に番号、アルファベット等の識別表示を突設したカセットが提案されている（例えば、特許文献１参照）。
しかしながら、この蓋も標本とは完全に分離されるため、検体を取り違えるといったトラブルは解消されない。
【００１０】
本発明はかかる実情に鑑み、従来の顕微鏡標本作成における上記課題を解消するためのパラフィンブロック作成具を提供するものである。
【先行技術文献】
【特許文献】
【００１１】
【特許文献１】特許第４４０２２６５号公報
【発明の概要】
【発明が解決しようとする課題】
【００１２】
本発明者は上記従来技術の課題を解消せんとして鋭意検討の結果、標本自体に識別表示を設ければ、標本（検体）と識別表示とは不離一体となり、取り違えのトラブルが根絶されることを知見し、本発明を完成するに至ったものである。
【課題を解決するための手段】
【００１３】
即ち、本発明の特徴は、カセット本体と蓋体とからなる医療検査用カセットと、パラフィン収容部とその周縁に設けられたカセット本体載置部とからなり、検体をパラフィンで包埋したパラフィンブロックを作成するためのトレイと、前記パラフィンの液化温度で溶融せず且つ薄切可能な柱状体と、前記柱状体を前記トレイのパラフィン収容部内に立設する手段とを含むことを特徴とするパラフィンブロック作成具である。
【００１４】
本発明の他の特徴は、柱状体をパラフィン収容部内に立設する手段がパラフィン収容部に設けられた支持部であることを特徴とするパラフィンブロック作成具である。
【００１５】
本発明の他の特徴は、柱状体をパラフィン収容部内に立設する手段がカセット本体の底部裏面に設けられた支持部であることを特徴とするパラフィンブロック作成具である。
【００１６】
本発明の他の特徴は、柱状体がクレヨン、クレパス、着色されたパラフィン、ゴム、エラストマー、軟質樹脂、コンニャクから選ばれることを特徴とするパラフィンブロック作成具である。
【００１７】
本発明の他の特徴は、柱状体が着色されたパラフィンからなり、その融点がパラフィンブロック本体のパラフィンの融点よりも高いことを特徴とするパラフィンブロック作成具である。
【００１８】
本発明の他の特徴は、柱状体が識別可能な断面形状を有することを特徴とするパラフィンブロック作成具である。
【００１９】
本発明の他の特徴は、識別可能な断面形状が、文字、数字、記号、模様から選ばれることを特徴とするパラフィンブロック作成具である。
【００２０】
本発明の他の特徴は、トレイの上縁部が斜め又は垂直方向に立設されていることを特徴とするパラフィンブロック作成具である。
【発明の効果】
【００２１】
本発明のパラフィンブロック作成具によれば、色や、識別可能な断面形状を有する柱状体が、検体を包埋するパラフィンブロック中に残留し、前記柱状体の色や、断面形状の異なる識別表示が形成される。かくして、パラフィンブロックをスライスすれば、薄切された検体を含むパラフィンの薄片の中に、薄切された柱状体の薄片の色や断面形状の異なる識別表示が形成される。この結果、これを染色等の処理をして得られる標本は検体とともに識別表示を内包し不離一体であるため識別表示が分離することがなく、標本を取り違えるといったトラブルが解消される。
【００２２】
また、上記柱状体をパラフィン収容部内に立設する手段としては、該パラフィン収容部に設けられた支持部又はカセット本体の底部裏面に設けられた支持部が好適である。
【００２３】
また、柱状体はクレヨン、クレパス、着色されたパラフィン、ゴム、エラストマー、軟質樹脂、コンニャクが好ましく、特にクレヨンやクレパスは１２色とか２４色等に着色されているので、その色を識別表示として利用できるので好ましい。これらの中でも、柱状体が着色されたパラフィンからなり、その融点がパラフィンブロック本体のパラフィンの融点よりも高いものが特に好ましい。
【００２４】
また、必要に応じ、識別可能な断面形状として識別表示としてもよく、更に、色と断面形状とを組み合わせて識別表示とすることもできる。ゴム、エラストマー、軟質樹脂、コンニャクについても同様に、色、断面形状、これらの組み合わせを識別表示とすることができる。
【００２５】
また、識別可能な断面形状としては、文字、数字、記号、模様が好適である。
【００２６】
また、立設される柱状体がパラフィンブロック中に残留しやすいようにテーパー状とすることにより、パラフィンが固化した後のトレイの除去が容易である。
【００２７】
また、トレイの上縁部を斜め又は垂直方向に立設することにより、実質的にパラフィンが滞留する水平部分がないので、パラフィンブロックに所謂バリ（パラフィンブロックに付着した余分のパラフィン部分）が発生しにくく、バリ取り作業が不要である。
【図面の簡単な説明】
【００２８】
【図１】本発明において、柱状体を立設したトレイの一例を示すもので、（ａ）は断面図、（ｂ）は上面図、（ｃ）は要部拡大断面図である。
【図２】柱状体の断面形状の例を示す概略図である。
【図３】柱状体の他の断面形状の例を示す概略図である。
【図４】柱状体を立設したトレイの他の例を示す概略断面図である。
【図５】（ａ）、（ｂ）は、それぞれ柱状体をカセット本体の底部裏面に立設した例を示す概略断面図である。
【図６】図１の、柱状体を立設したトレイを用いてパラフィンブロックを作成する状態を示す概略断面図である。
【図７】図６で得られるパラフィンブロックを示す概略断面図である。
【図８】図７のパラフィンブロックをスライスして得られる顕微鏡標本を示す上面図である。
【図９】図５（ａ）の、柱状体を立設したカセット本体を用いてパラフィンブロックを作成する状況を示す概略断面図である。
【図１０】図９で得られるパラフィンブロックを示す概略断面図である。
【図１１】図１０のパラフィンブロックをスライスして得られる顕微鏡標本を示す概略断面図である。
【図１２】本発明に用いられるトレイの他の例を示す概略断面図である。
【図１３】医療検査用カセットの一例を示す斜視図である。
【図１４】図１３の医療検査用カセット検体を収容した状態を示す概略断面図である。
【図１５】従来のトレイの一例を示す斜視図である。
【図１６】図１５のトレイを用いてパラフィンブロックを作成する状態を示す概略断面図である。
【図１７】図１６で得られるパラフィンブロックを示す概略断面図である。
【図１８】図１７のパラフィンブロックをスライスして得られる顕微鏡標本を示す上面図である。
【発明を実施するための形態】
【００２９】
本発明のパラフィンブロック作成具は、カセット本体と蓋体とからなる医療検査用カセットと、パラフィン収容部とその周縁に設けられたカセット本体載置部とからなり、検体をパラフィンで包埋したパラフィンブロックを作成するためのトレイと、前記パラフィンの液化温度で溶融せず且つ薄切可能な柱状体と、前記柱状体を前記トレイのパラフィン収容部内に立設する手段とを含むことを特徴とする。
本発明に用いられるカセットは、カセット本体１２と蓋体１３とからなる従来のカセットが含まれ、その典型的なものとしては上記図１３、図１４で示したカセットが挙げられる。
本発明において、パラフィンの液化温度で溶融せず且つ薄切可能な柱状体が、トレイのパラフィン収容部に立設される。
図１（ａ）、（ｂ）、（ｃ）は、柱状体５がパラフィン収容部２に設けられた支持部６により立設されたトレイ１の例を示す。これらの図に示すように、容器状のパラフィン収容部２と、その周縁に設けられたカセット載置部３とからなるトレイ１のパラフィン収容部２に、柱状体５を立設する手段として支持部６が含まれている。図中、４は額縁部で、把持部の役割も果たす。
【００３０】
本発明において、柱状体５はパラフィンの液化温度（約６０℃）で液化せず且つ薄切可能であり、識別可能に着色されているか、又は、識別可能な断面形状を有するもので、例えば、クレヨン、クレパス、着色されたパラフィン、ゴム、エラストマー、軟質樹脂、コンニャク等が挙げられる。特に、クレヨン、クレパスは１２色、２４色等に着色されているので、これらの色を識別表示として利用することができるので好都合である。
【００３１】
着色されたパラフィンとしては特に限定されず、通常パラフィンブロックを作成するために用いられるパラフィンに所定の染料や顔料を配合したものが、全て好適に使用できる。尚、パラフィンブロックＢには、通常の場合、白色パラフィンが使用されるので、着色流動パラフィンＢの色はこの白色パラフィンと比較したコントラストが高くなるようにしたほうが識別表示５ａが見やすくなる。このため、明度は低く彩度が高くなるように染料、顔料を選択するのが好ましい。
【００３２】
ところで、柱状体として使用するパラフィンの融点が低い場合には、高温の溶融パラフィンをトレイに注いだ際に柱状体が柔らかくなりすぎて変形する恐れがある。このような不都合を避けるためには、着色されたパラフィンに使用するパラフィンとしては、パラフィンブロック本体に用いるパラフィンと融点が同程度かやや高いものを用いるほうが好ましく、より好ましくは、５℃以上高いパラフィンが用いられる。
【００３３】
ゴムとしては特に制限されず、天然ゴム、合成ゴムのいずれでもよく、合成ゴムとしては、例えば、ブタジエンゴム（ＢＲ）、スチレン−ブタジエンゴム（ＳＢＲ）、クロロプレンゴム（ＣＲ）、ブタジエン−アクリロニトリルゴム（ＮＢＲ）、エチレン−プロピレンゴム（ＥＰＭ、ＥＰＤＭ）、シリコーンゴム等が挙げられる。また、エラストマーとしては、スチレン系、オレフィン系、エステル系、ウレタン系の熱可塑性エラストマー等が挙げられる。また、軟質樹脂としては、ポリエチレン、軟質塩化ビニル樹脂等が挙げられる。ゴム、エラストマー、軟質樹脂、コンニャクについても、着色を施して、これらの色を識別表示として用いることができる。
【００３４】
また、柱状体５は、識別可能な断面形状として、これらの断面形状を識別表示として用いることができる。
図１では断面形状として方形が示されているが、これに限定されず、識別（区別）可能な断面形状であればよい。例えば、図２、図３に示すように、○、△、×等の記号、Ａ、Ｂ、Ｃ（ａ、ｂ、ｃ）等のアルファベット、イ、ロ、ハ（い、ろ、は）等の片仮名や平仮名、１、２、３等の数字、星形、ハート、ダイヤ、クローバー等の模様のように、文字、数字、記号、模様等が挙げられる。
更に、色と断面形状とを組み合わせて識別表示とすることも可能である。
【００３５】
柱状体５は、トレイ１のパラフィン収容部２内に液状パラフィンを注ぎ入れ、液状パラフィンが固化した後にトレイ１を取り外した際に、得られるパラフィンブロック中に残留して該柱状体５の色、又は断面形状、又はその両方からなる識別表示が形成される。
【００３６】
柱状体５はトレイ１のパラフィン収容部２に立設されるが、このような立設手段としては、トレイ１のパラフィン収容部２又はカセット本体１２に設けられた支持部が好ましい。
前者については、例えば、図１に示すように、トレイ１の底部裏面に突設した支持部６（６ａ）としたり、図４に示すように、底部表面に突設した支持部６（６ｂ）としてもよい。この場合、支持部６（６ａ）の内側に、柱状体５を係止するための係止爪７を設けてもよい（図１（ｃ）参照）。図４の支持部６（６ｂ）においても同様に係止爪７を設けることができる。
また、後者については、例えば、図５に示すように、カセット本体１２の底部裏面に支持部６を設けることができる。図５（ａ）では、底部裏面にカセット本体１２の内方向に突設した支持部６（６ｃ）の例を示し、図５（ｂ）では、底部裏面に外方向に突設した支持部６（６ｄ）の例を示す。これらの支持部６（６ｃ）、６（６ｄ）においても、上記した係止爪７を設けることができる。
更に、他の立設手段としては、トレイ１のパラフィン収容部２、又は、カセット本体１２の底部裏面に設けた突き刺し突起を支持部とし、これに柱状体５を突き刺して立設することも可能である。
【００３７】
柱状体５は、トレイ１のカセット載置部３にカセット１１（カセット本体１２）を載置した際に、柱状体５がカセット１１（カセット本体１２）の底部裏面とトレイ１の底面との間に収まるように立設される。また、液状パラフィンが固化した後にトレイ１が取り外されるが、その際に、柱状体５が固化したパラフィン中に残留しやすいようにテーパー状に形成することが望ましい（図１（ａ）、図４、図５（ａ）、（ｂ）参照）。
【００３８】
トレイ１は方形状等の容器からなるパラフィン収容部２と、その周縁に設けられたカセット載置部３とからなり、必要に応じ、額縁部４が設けられる。トレイ１の素材としては、ステンレス、銅、アルミ等の金属、ＡＢＳ樹脂、ＡＳ樹脂、ポリスチレン樹脂、ポリメチル（メタ）アクリレート樹脂、ポリアセタール樹脂、ポリアミド樹脂、ポリエステル樹脂、ポリカーボネート樹脂等の樹脂が挙げられる。
【００３９】
図６は、図１に示した、柱状体５を立設したトレイ１を用いてカセットブロックを作成する状態を示している。
即ち、背景技術で記載したのと同様にして、水洗、薬液処理等を施した検体Ｓをカセット本体１２からトレイ１のパラフィン収容部２に移し替え、トレイ１のカセット載置部３にカセット本体１２を載せ、カセット本体１２の上部まで液状パラフィンＰを注ぐ。
【００４０】
次いで、図７に示すように、液状パラフィンＰが固化した後、トレイ１を取り去るが、柱状体５は固化したパラフィンＰ中に残留し、その結果、検体Ｓを包埋し、柱状体５を含むパラフィンブロック８が得られる。
【００４１】
次いで、背景技術で記載した如く、ミクロトーム上にパラフィンブロック８を裏返して固定し、検体Ｓを包埋し柱状体５を含むパラフィンＰの部分をスライスすると、図８に示すように、検体Ｓと柱状体５の断面形状からなる識別表示５ａを包埋した薄片が得られ、これに染色等の処理を施すことにより顕微鏡標本Ｈが得られる。
【００４２】
得られた顕微鏡標本Ｈは、検体Ｓと識別表示５ａとは不離一体であり、互いに分離することがないので、他の顕微鏡標本と取り違えることはない。
【００４３】
図９は、図５（ａ）に示した、柱状体５を立設したカセット１１（カセット本体１２）を用いてカセットブロックを作成する状態を示している。
図１０は、液状パラフィンＰが固化した後トレイ１を取り去った状態で、柱状体５は固化したパラフィンＰ中に残留し、検体Ｓを包埋し、柱状体５を含むパラフィンブロック８が得られ、図１１は、該パラフィンブロック８からスライスして得られた顕微鏡標本Ｈで、検体Ｓと識別表示５ａを包埋している。
【００４４】
ところで、上記トレイ１はカセット載置部３や上縁の額縁部４が水平状であるので、図６に示すように、この水平状の部分でパラフィンＰが盛り上がった状態で固化するため、図７に示すように、この部分がバリ９となってパラフィンブロック８に残留する。このバリ９は、パラフィンブロック８をアダプターに係合しミクロトーム上に固定する際に支障を来すのでカッター等で削り取る必要があり、作業性を低下させる。
【００４５】
このようなバリ９の発生を防止するには、図１２に示すように、トレイ１の上縁部を斜め又は垂直方向立設してカセット載置部３としたトレイが、バリ９の発生を引き起こす水平状部分が存在しないので好適である。この場合、このトレイ１の上縁部であるカセット載置部３にカセット本体１２を載置するだけでもよいが、図示したように、カセット本体１２の底部裏側に、トレイ１のカセット載置部３と嵌合する溝を設けたカセット本体１２を使用すれば、液状パラフィンは嵌合したカセット本体１２の溝とトレイ１のカセット載置部３とにより外部への流出が遮断されるのでバリ９の発生が防止される。
【産業上の利用可能性】
【００４６】
叙上のとおり、本発明のパラフィンブロック作成具によれば、検体と不離一体の識別表示を含む顕微鏡標本が得られるので、顕微鏡標本を取り違えるといった深刻なトラブルが防止され、検体の信頼性が向上する。
【符号の説明】
【００４７】
１  トレイ
２  パラフィン収容部
３  カセット載置部
４  額縁部
５  柱状体
５ａ  識別表示
６（６ａ）、（６ｂ）、（６ｃ）、（６ｄ）  支持部
７  係止爪
８  パラフィンブロック
９  バリ
Ｓ  検体
Ｈ  顕微鏡標本
１１  医療検査用カセット
１２  カセット本体
１２ａ  記録部
１３  蓋体
１４  透孔
１５  係止部
Ｔ  従来のトレイ
Ｔ１  額縁部
Ｔ２  カセット載置部
Ｐ  パラフィン
Ｂ  パラフィンブロック
【図１】
2015129739.tif 000003
【図２】
2015129739.tif 000004
【図３】
2015129739.tif 000005
【図４】
2015129739.tif 000006
【図５】
2015129739.tif 000007
【図６】
2015129739.tif 000008
【図７】
2015129739.tif 000009
【図８】
2015129739.tif 000010
【図９】
2015129739.tif 000011
【図１０】
2015129739.tif 000012
【図１１】
2015129739.tif 000013
【図１２】
2015129739.tif 000014
【図１３】
2015129739.tif 000015
【図１４】
2015129739.tif 000016
【図１５】
2015129739.tif 000017
【図１６】
2015129739.tif 000018
【図１７】
2015129739.tif 000019
【図１８】
2015129739.tif 000020